(57)【要約】      （修正有）【課題】使用者が自転車に乗っている際、所定の隙間部分から風を充分に逃がすことにより、被っているサンバイザーが飛ばされてしまう事態の発生を防ぎながら、所定の隙間部分から太陽光が入り込んでしまう事態の発生を確実に防止したサンバイザーを提供する。【解決手段】サンバイザー１は、使用者の頭部に装着する環状のバンド部材３と、バンド部材３に取り付けたつば部７により構成されたサンバイザー１であり、つば部７の内側縁９とバンド部材３の間に隙間部分１１を備え、この隙間部分１１の下方に位置するように、バンド部材３に小つば部１３を設けている事を特徴とする。【選択図】図１
0003204427.tif 000002
【実用新案登録請求の範囲】
【請求項１】
使用者の頭部に装着する環状のバンド部材と、バンド部材に取り付けたつば部により構成されたサンバイザーであり、つば部の内側縁とバンド部材の間に隙間部分を備え、この隙間部分の下方に位置するように、バンド部材に小つば部を設けている事を特徴とするサンバイザー。
【請求項２】
バンド部材の小つば部は、少なくとも、つば部の内側縁とバンド部材の間に存在している隙間部分を閉鎖する突出幅を有するように延設されている請求項１に記載のサンバイザー。
【請求項３】
つば部の内側縁とバンド部材の間に存在している隙間部分は、略円弧状に形成され、バンド部材の小つば部は、少なくともこの隙間部分を閉鎖する突出幅を有するように延設され、略円弧状に形成されている請求項１または２に記載のサンバイザー。
【請求項４】
バンド部材は、所定の幅を有する帯状部材を環状に形成したもので、バンド部材につば部を取り付けた際、バンド部材の上縁は、つば部の内側縁よりも上方に位置すると共に、バンド部材の下縁は、つば部の内側縁よりも下方に位置し、このバンド部材の下縁に、小つば部を設けている請求項１乃至３のいずれかにに記載のサンバイザー。
【請求項５】
バンド部材に取り付けたつば部と、バンド部材の小つば部は、略平行に配置されている請求項１乃至４のいずれかに記載のサンバイザー。
【請求項６】
バンド部材は、帯状部材の両端部を、面ファスナーを介して、長さ調節可能に接合している請求項４に記載のサンバイザー。
【請求項７】
つば部は、バンド部材に着脱自在に取り付けられている請求項１または４に記載のサンバイザー。
【考案の詳細な説明】
【技術分野】
【０００１】
本考案は、例えば、使用者が自転車に乗っている際、所定の隙間部分から風を充分に逃がすことにより、被っているサンバイザーが飛ばされてしまう事態の発生を防ぎながら、所定の隙間部分から太陽光が入り込んでしまう事態の発生を確実に防止したサンバイザーに関するものである。
【背景技術】
【０００２】
従来の帽子として、例えば、特許文献１に示すように、額上部における発汗を抑制するために、額上部の頭髪部分に相当する帽子の中央部分に、空隙を設けたものが提案されている。
【０００３】
この特許文献１は、図１３に示すように、窪部を設けたブリムをヘッドバンドに一体に縫着して空隙Ｘを形成し、次いでヘッドバンドに縫着した日除けカバーと上記ブリムの窪部間に空隙Ｙを、さらに日除けカバーとヘッドバンドの間に部屋を形成してなる発汗抑止帽子を開示している。
【先行技術文献】
【特許文献】
【０００４】
【特許文献１】登録実用新案第３１９５４５５号公報
【考案の概要】
【考案が解決しようとする課題】
【０００５】
しかし、特許文献１に示す発汗抑止帽子は、空隙Ｘ、空隙Ｙを形成することにより、風の流通が良好となるものの、例えば、使用者が自転車に乗って前方からの風を受けた際、ブリムが風に煽られて帽子が飛ばされてしまう事態が生じていた。
【０００６】
また、特許文献１に示す発汗抑止帽子は、空隙Ｘ・空隙Ｙを形成していることから、この空隙Ｘ・空隙Ｙから太陽光が差し込んで使用者の顔に当たり、サンバイザーとしての機能を十分に発揮できないという問題があった。
【０００７】
そこで、本考案は、例えば、使用者が自転車に乗っている際、所定の隙間部分から風を充分に逃がすことにより、被っているサンバイザーが飛ばされてしまう事態の発生を防ぎながら、所定の隙間部分から太陽光が入り込んでしまう事態の発生を確実に防止したサンバイザーを提供することを目的とする。
【課題を解決するための手段】
【０００８】
上記課題を解決するために、本考案に係る請求項１に記載のサンバイザーは、例えば、図１・図８・図１２に示すように、使用者の頭部に装着する環状のバンド部材と、バンド部材に取り付けたつば部により構成されたサンバイザーであり、つば部の内側縁とバンド部材の間に隙間部分を備え、この隙間部分の下方に位置するように、バンド部材に小つば部を設けている事を特徴とする。
【０００９】
本考案に係る請求項１に記載のサンバイザーによれば、使用者の頭部に装着する環状のバンド部材と、バンド部材に取り付けたつば部により構成されたサンバイザーであり、つば部の内側縁とバンド部材の間に隙間部分を備えているので、例えば、使用者が自転車に乗って前方からの風を受けた際、この隙間部分から風を充分に逃がすことにより、サンバイザーが飛ばされてしまう事態の発生を防ぐことができる。
【００１０】
このとき、隙間部分の下方に位置するように、バンド部材に小つば部を設けているので、つば部の下部において、前方から受ける風を、隙間部分に向けて滑らかに誘導する。そして、前方から受ける風を、小つば部とバンド部材の周面に沿うようにして滑らかに上方に移動させ、隙間部分から風を充分に逃がすことができる。
【００１１】
この様に、小つば部により、風の流れを隙間部分に向けて滑らかに誘導し、隙間部分における風通しを良くして、被っているサンバイザーが飛ばされてしまう事態の発生を防止するのである。
【００１２】
また、隙間部分の下方に位置するように、バンド部材に小つば部を設けているので、この隙間部分から入射してくる太陽光を確実に遮ることができる。
【００１３】
本考案に係る請求項２に記載のサンバイザーは、例えば、図８乃至図１１に示すように、バンド部材の小つば部は、少なくとも、つば部の内側縁とバンド部材の間に存在している隙間部分を閉鎖する突出幅を有するように延設されている事を特徴とする。
【００１４】
本考案に係る請求項２に記載のサンバイザーによれば、少なくとも、つば部の内側縁とバンド部材の間に存在している隙間部分を閉鎖する突出幅を有するように延設されているので、隙間部分を介して上方から入射してくる太陽光を、確実に遮ることができる。
【００１５】
本考案に係る請求項３に記載のサンバイザーは、例えば、図１、図８乃至図１１に示すように、つば部の内側縁とバンド部材の間に存在している隙間部分は、略円弧状に形成され、バンド部材の小つば部は、少なくともこの隙間部分を閉鎖する突出幅を有するように延設され、略円弧状に形成されている事を特徴とする。
【００１６】
本考案に係る請求項３に記載のサンバイザーによれば、つば部の内側縁とバンド部材の間に存在している隙間部分は、略円弧状に形成され、バンド部材の小つば部は、少なくともこの隙間部分を閉鎖する突出幅を有するように延設され、略円弧状に形成されているので、小つば部により前方から受ける風を隙間部分に向けて滑らかに誘導し、略円弧状の隙間部分の全体から、風を充分に逃がすことができる。
【００１７】
また、バンド部材の小つば部は、少なくともこの隙間部分を閉鎖する突出幅を有するように延設されているので、隙間部分を介して上方から入射してくる太陽光も、確実に遮ることができる。
【００１８】
本考案に係る請求項４に記載のサンバイザーは、例えば、図８乃至図１０に示すように、バンド部材は、所定の幅を有する帯状部材を環状に形成したもので、バンド部材につば部を取り付けた際、バンド部材の上縁は、つば部の内側縁よりも上方に位置すると共に、バンド部材の下縁は、つば部の内側縁よりも下方に位置し、このバンド部材の下縁に、小つば部を設けている事を特徴とする。
【００１９】
本考案に係る請求項４に記載のサンバイザーによれば、バンド部材は、所定の幅を有する帯状部材を環状に形成したもので、バンド部材につば部を取り付けた際、バンド部材の上縁は、つば部の内側縁よりも上方に位置すると共に、バンド部材の下縁は、つば部の内側縁よりも下方に位置し、このバンド部材の下縁に、小つば部を設けているので、つば部の下部において、前方から受ける風を、小つば部の周面、バンド部材の下縁から上縁の周面に沿うようにして滑らかに上方に誘導し、隙間部分から風を充分に逃がすことができる。
【００２０】
本考案に係る請求項５に記載のサンバイザーは、例えば、図８乃至図１０に示すように、バンド部材に取り付けたつば部と、バンド部材の小つば部は、略平行に配置されている事を特徴とする。
【００２１】
本考案に係る請求項５に記載のサンバイザーによれば、バンド部材に取り付けたつば部と、バンド部材の小つば部は、略平行に配置されているので、つば部の下部において、前方から受ける風を、隙間部分に向けて滑らかに誘導できる。そして、前方から受ける風を、小つば部とバンド部材の周面に沿うようにして滑らかに上方に移動させ、隙間部分から風を充分に逃がすことができる。
【００２２】
この様に、小つば部の存在により、隙間部分を通る風の方向を一定方向に定めることが可能となり、隙間部分から風を充分に逃がして、被っているサンバイザーが飛ばされてしまう事態の発生を確実に防止しているのである。
【００２３】
本考案に係る請求項６に記載のサンバイザーは、例えば、図５に示すように、バンド部材は、帯状部材の両端部を、面ファスナーを介して、長さ調節可能に接合している事を特徴とする。
【００２４】
本考案に係る請求項６に記載のサンバイザーによれば、バンド部材は、帯状部材の両端部を、面ファスナーを介して、長さ調節可能に接合しているので、使用者の頭部にフィットするサンバイザーを、適宜提供できる。
【００２５】
本考案に係る請求項７に記載のサンバイザーは、例えば、図１乃至図６に示すように、つば部は、バンド部材に着脱自在に取り付けられている事を特徴とする。
【００２６】
本考案に係る請求項７に記載のサンバイザーによれば、つば部は、バンド部材に着脱自在に取り付けられているので、つば部をバンド部材から適宜取り外して、つば部やバンド部材を容易に洗うことができる。
【考案の効果】
【００２７】
本考案によれば、例えば、使用者が自転車に乗っている際、所定の隙間部分から風を充分に逃がすことにより、被っているサンバイザーが飛ばされてしまう事態の発生を防ぎながら、所定の隙間部分から太陽光が入り込んでしまう事態の発生を確実に防止したサンバイザーを提供することができる。
【図面の簡単な説明】
【００２８】
【図１】本考案に係るサンバイザーの構成を示す斜視図である。
【図２】本考案に係るサンバイザーのバンドの構成を示す斜視図である。
【図３】本考案に係るサンバイザーのバンドの構成を示す側面図である。
【図４】本考案に係るサンバイザーのバンドの構成を示す平面図である。
【図５】本考案に係るサンバイザーのバンドの構成を示す平面図である。
【図６】本考案に係るサンバイザーのつば部の構成を示す斜視図である。
【図７】本考案に係るサンバイザーの構成を示す側面図である。
【図８】本考案に係るサンバイザーの構成を示すもので、図１１のＩ−Ｉ断面図である。
【図９】本考案に係るサンバイザーのつば部と小つば部の構成を示す拡大断面図である。
【図１０】本考案に係るサンバイザーの風の流れを説明するための断面図である。
【図１１】本考案に係るサンバイザーの構成を示す平面図である。
【図１２】本考案に係るサンバイザーの使用例を示す側面図である。
【図１３】特許文献１に示す発汗抑止帽子の構成を示す斜視図である。
【考案を実施するための形態】
【００２９】
以下に、図面を参照して、本考案の一実施の形態について説明する。
【００３０】
＜実施の形態＞
図１乃至図１２は、本考案に係るサンバイザーの一実施の形態を示している。
【００３１】
本考案に係るサンバイザー１は、図１・図１２に示すように、使用者の頭部に装着する環状のバンド部材３と、バンド部材３にホック５を介して取り付けたつば部７により構成されている。
【００３２】
バンド部材３とつば部７の素材としては、ポリエステル、発砲ポリエチレン、塩ビ、プラスチック、コア材、紙、布等が使用されている。バンド部材３は、可撓性素材であり、水洗い等が可能な吸湿性を有する素材を用いて製作するのが望ましい。また、遮光性を有するものであると良い。一方、つば部７は、可撓性素材であり、遮光性を有する素材を用いて製作するのが望ましい。
【００３３】
そして、サンバイザー１は、図１、図８乃至図１０図に示すように、つば部７の内側縁９とバンド部材３の間に隙間部分１１を備え、この隙間部分１１の下方に位置するように、バンド部材３に小つば部１３を設けている。
【００３４】
つば部７の内側縁９とバンド部材３の間に存在している隙間部分１１は、図１４・図１１に示すように、略円弧状に形成されている。この隙間部分１１は、使用者のこめかみ部分の近傍から額側部分に向けて、徐々に隙間幅を大きくした略円弧状に形成されている。
【００３５】
この様に、隙間部分１１を、使用者のこめかみ部分の近傍から額側部分に向けて、徐々に隙間幅を大きくした略円弧状に形成することにより、つば部７の下部において、前方から受ける風を、この隙間部分１１を介して、上方に向けて充分に逃がすことができる。
【００３６】
バンド部材３は、図２乃至図４図に示すように、所定の幅を有する帯状部材を環状に形成したものであり、使用者の頭部に装着した際に、頭部の前方に位置するように、小つば部１３が設けられている。
【００３７】
帯状部材は、図３図に示すように、前方である使用者の額部分側が高い幅を有しており、後方に向けて徐々にその幅を低くするように形成されている。また、図５に示すように、使用者の頭部における後頭部側に位置している両端部に、面ファスナー１５が設けられている。そして、帯状部材により形成されているバンド部材３は、この面ファスナー１５を介して、長さ調節可能に接合している。
【００３８】
具体的には、例えば、図５に示すように、面ファスナー１５として、鉤状の表面１７がバンド部材３の一端の外面に設けられ、また、パイル状の表面１９がバンド部材３の他端の内面に設けられている。そして、使用者の頭部の大きさに応じて、接合する鉤状の表面１７・パイル状の表面１９の位置を変えて、バンド部材３の長さを調節するのである。
【００３９】
バンド部材３の小つば部１３は、図８乃至図１０図に示すように、バンド部材３を使用者の頭部に装着した際に、頭部から額部分を向くように、若干下方に向けて傾斜した状態で、帯状部材の下縁に延設されている。
【００４０】
この小つば部１３は、図１・図１１図に示すように、少なくとも、つば部７の内側縁９とバンド部材３の間に存在している隙間部分１１を閉鎖する突出幅を有するように延設され、略円弧状に形成されている。
【００４１】
また、小つば部１３は、使用者の視界を遮ることがない大きさとする。この小つば部１３は、隙間部分１１から入射する太陽光を確実に遮るために、遮光性を有する素材を用いて製作するものとする。
【００４２】
小つば部１３は、図１１図に示すように、少なくとも、つば部7の内側縁９とバンド部材３の間に存在している隙間部分１１を閉鎖する突出幅を有するように延設されているが、また、図８乃至図１０の点線に示すように、その外側縁１３ａが比較的に大きな突出幅を有するように形成すると、上方からの太陽光Ｓ２・Ｓ３・Ｓ４を確実に遮ることができる。
【００４３】
例えば、つば部７は、図８乃至図１０に示すように、斜め上方からの太陽光Ｓ１を確実に遮る。このとき、外側縁１３ａが比較的に大きな突出幅を有するように形成されている小つば部１３は、隙間部分１１から入射する上方からの太陽光Ｓ２・Ｓ３・Ｓ４を確実に遮る。太陽光Ｓ２・Ｓ３は、小つば部１３の上面で進入が阻止され、太陽光Ｓ４は、小つば部１３の外側縁１３ａ近傍で進入が阻止されるのである。
【００４４】
バンド部材３は、図８乃至図１０図に示すように、バンド部材３につば部７を取り付けた際、バンド部材３の上縁は、つば部７の内側縁９よりも上方に位置すると共に、バンド部材３の下縁は、つば部７の内側縁９よりも下方に位置し、このバンド部材３の下縁に、小つば部１３を設けている。また、バンド部材３に取り付けたつば部７と、バンド部材３の小つば部１３は、略平行に配置されている。
【００４５】
そのため、図８乃至図１０に示すように、つば部７の下部において、前方から受ける風を、隙間部分１１に向けて滑らかに誘導できる。具体的には、つば部７の下部において、前方から受ける風を、小つば部１３とバンド部材３の周面に沿うようにして滑らかに上方に移動させ、隙間部分１１から風を充分に逃がすのである。
【００４６】
尚、図８・図１０に示すバンド部材３の帯状部材における、前方である使用者の額部分側は、若干前方側に傾斜するように形成されているが、これに限定されることはない。例えば、図９に示すように、帯状部材における前方である使用者の額部分側を、若干後方側に傾斜するように形成することにより、前方から受ける風の上方、後部側への流れを更に滑らかにし、風の逃がしを助ける構成としても良い。
【００４７】
つば部７は、図１２に示すように、使用者がサンバイザー１を頭部に装着した際、使用者の頭部の前方に突出するように、バンド部材３の外周に配設されている。また、つば部７の外側縁２１が、使用者の額部分から鼻の部分を覆うように、つば部７全体で所定の傾斜した幅を備え、使用者の後頭部側から額部分側に向けて、徐々に幅を大きくした円弧面状に形成されている。
【００４８】
つば部７は、図１、図１１・図１２に示すように、使用者のこめかみ部分の両側と、後頭部付近の両側に配置したホック５を介して、バンド部材３に着脱自在に取り付けられている。そのため、バンド部材３からつば部７を取り外して、バンド部材３とつば部７を個別に洗うことができる。
【００４９】
尚、図に示すサンバイザー１は、つば部７がバンド部材３に着脱自在に取り付けられているが、これに限定されることはなく、つば部７とバンド部材３を一体的に形成しても良い。
【００５０】
また、つば部７の内側縁９には、その全体に渡って、帯状の布部材を折り返して逢着した補強部２３を設けている。そして、また、図２乃至図６に示すように、ホック５を構成するバンド部材３のホック雌部２７と嵌合する位置において、複数のホック雄部２５が、つば部７の内側縁９に沿うように、補強部２３の近傍に設けられている。
【産業上の利用可能性】
【００５１】
本考案は、例えば、使用者が自転車に乗っている際、所定の隙間部分から風を充分に逃がすことにより、被っているサンバイザーが飛ばされてしまう事態の発生を防ぎながら、所定の隙間部分から太陽光が入り込んでしまう事態の発生を確実に防止したサンバイザーとして、幅広く利用されるものである。
【符号の説明】
【００５２】
１  サンバイザー
３  バンド部材
５  ホック
７  つば部
９  内側縁
１１  隙間部分
１３  小つば部
１５  面ファスナー
１７  鉤状の表面
１９  パイル状の表面
２１  外側縁
２３  補強部材
２５  ホック雄部
２７  ホック雌部
【図１】
0003204427.tif 000003
【図２】
0003204427.tif 000004
【図３】
0003204427.tif 000005
【図４】
0003204427.tif 000006
【図５】
0003204427.tif 000007
【図６】
0003204427.tif 000008
【図７】
0003204427.tif 000009
【図８】
0003204427.tif 000010
【図９】
0003204427.tif 000011
【図１０】
0003204427.tif 000012
【図１１】
0003204427.tif 000013
【図１２】
0003204427.tif 000014
【図１３】
0003204427.tif 000015